(57)【特許請求の範囲】
【請求項１】
操作部と、表示画面と、該操作部から出力される操作信号により、該表示画面での表示を制御する制御部とを備え、
（１）該制御部の制御により、
該表示画面に、複数の表示体が夫々、相互の配置関係が決められて互いに異なる領域に全面表示され、
該複数の表示体のいずれか１つが、選択表示体として、該表示画面の中央部の領域に表示されて、該選択表示体には、動画が表示され、該選択表示体以外の該表示体には、静止画が表示され、
（２）該操作部からの操作信号に伴う該制御部の制御により、
該表示画面内で、該相互の配置関係を保ちながら、予め決められた選択表示体となる順序で次に選択表示体となる該表示体が該表示画面の中央部の該領域に向かうように、各該表示体が連続的に移動し、次に選択表示体となる該表示体が該表示画面の中央部の領域で動画が表示された新たな選択表示体として表示されるとともに、該表示画面に表示される複数の表示体が該移動前とは異なる
ことを特徴とする画面表示装置。
【請求項２】
請求項１記載の画面表示装置において、
移動中では、複数の前記表示体からなる画面の表示の第２の縮尺率が、移動前後の複数の前記表示体からなる画面の表示の第１の縮尺率よりも小さく、より多くの前記表示体を含む画面が表示されることを特徴とする画面表示装置。
【請求項３】
請求項１または２記載の画面表示装置において、
前記制御部の制御により、前記新たな選択表示体は、前記表示画面の中央部で表示開始された時点から前記第１の縮尺率よりも大きい第３の縮尺率で拡大表示され、所定の時間経過後、前記第１の縮尺率の表示の状態となることを特徴とする画面表示装置。
【請求項４】
操作部と、表示画面と、該操作部から出力される操作信号により、該表示画面での表示を制御する制御部とを備え、
該表示画面に、複数の表示体が第１，第２の群に区分されて、かつ該第１，第２の群毎に該表示体が、互いにずらした状態で、重ねられて表示され、
該第１の群での最上の該表示体が該表示画面の中央部の第１の領域に配置されて表示されて、該第２群は該表示画面での該第１の群とは異なる第２の領域に配置されて表示され、
該第１の群の最上の全面表示される該表示体を選択表示体として、該選択表示体に動画が表示され、該選択表示体以外の該表示体に静止画が表示されることを特徴とする画面表示装置。
【請求項５】
請求項４に記載の画面表示装置において、
前記操作部からの操作信号により、前記制御部が、前記第１の領域と前記第２の領域との間で、前記第１の群または第２の群の最上の前記表示体を移動させることを特徴とする画面表示装置。
【請求項６】
請求項５記載の画面表示装置において、
前記選択表示体の移動により、その移動方向に応じて、前記第１の領域での前記第１の群と前記第２の領域での前記第２の群のいずれか一方の前記表示体が１個減り、他方の前記表示体が１個増えることを特徴とする画面表示装置。
【請求項７】
請求項５または６記載の画面表示装置において、
前記操作部は、前記表示画面の辺に設けられた平面状の操作面を有し、
該操作面でのタッチによる操作点を前記表示画面の辺に沿う方向に移動させることにより、前記表示体の前記第１の群と前記第２の群との間の移動を行なうことを特徴とする画面表示装置。
【請求項８】
請求項４〜７のいずれか１つに記載の画面表示装置において、
前記第２の領域の前記第２の群での全ての前記表示体は、その一部分が表示されることを特徴とする画面表示装置。
【請求項９】
請求項１〜８のいずれか１つに記載の画面表示装置において、
前記操作部からの操作信号により、前記制御部が、前記選択表示体に該当するコンテンツを前記表示画面全体に表示することを特徴とする画面表示装置。
【請求項１０】
操作部と、表示画面と、該操作部から出力される操作信号により、該表示画面での表示を制御する制御部と、コンテンツの動画ファイルと静止画の表示用画像ファイルと該コンテンツ間の関係を示す情報テーブルとが格納された情報記憶部とを備え、
該情報記憶部に格納されているコンテンツのいずれかが動画として該表示画面に表示されているとき、該操作部からの操作信号による該制御部の制御により、該表示画面にタイムスケールと該タイムスケール上の該動画の再生位置を示すタイムスライダとからなる再生位置選択手段が表示され、
かつ、該操作部からの操作による該制御部の制御により、該タイムスライダが該タイムスケール上を移動して、該表示画面に表示される該動画の再生位置が変化し、
その際、前記情報テーブルには、各コンテンツ毎に該当する表示体の情報が登録されているとともに、該表示体の情報毎に、これに該当するコンテンツに関連する関連コンテンツの該表示体の情報と、該該当するコンテンツが再生開始されてからの該関連コンテンツの再生開始時間とを示す関連情報が登録されており、
前記表示画面に、前記再生位置選択手段とともに、前記表示画面に表示されている前記コンテンツの該関連コンテンツに該当する該表示体の情報を、該関連コンテンツが再生開始する時点に相当する前記再生位置選択手段の前記タイムスケール上の位置に表示することを特徴とする画面表示装置。
【請求項１１】
請求項１０記載の画面表示装置において、
前記タイムスケール上の前記表示体の情報を指摘する前記操作部からの前記操作部からの操作信号により、前記操作部が、指摘された前記表示体の情報に対する表示体を前記表示画面に表示し、かつ該表示体に該表示体に該当するコンテンツを動画として、もしくは該該当するコンテンツに対する前記静止画を表示することを特徴とする画面表示装置。
【請求項１２】
操作部と、表示画面と、該操作部から出力される操作信号により、該表示画面での表示を制御する制御部とを備え、
選択対象のコンテンツに対する選択表示体が該表示画面の第１の領域に、該選択対象のコンテンツに関連する関連コンテンツに対する１以上の関連表示体が該表示画面の該第１の領域とは異なる第２の領域に夫々表示され、
該第２の領域では、少なくとも１以上の該関連表示体が、互いにずらした状態で、重ね合わされた第１の群と、該第１の群とは異なる少なくとも１以上の該関連表示体が、互いにずらした状態で、重ね合わされた第２の群とが異なる領域に表示され、
該操作部からの操作信号により、該制御部が、該第１の群と該第２の群との間で該関連表示体を移動させ、該第１の群の最上となる該関連表示体に該当する関連コンテンツを動画で表示することを特徴とする画面表示装置。
【請求項１３】
請求項１２記載の画面表示装置において、
前記第１の群と前記第２の群との間の前記関連表示体の移動は、前記第１の群の最上の前記関連表示体が前記第２群の最下の位置に移動し、あるいは前記第２の群の最下の前記関連表示体が前記第１群の最上の位置に移動するものであることを特徴とする画面表示装置。
【請求項１４】
請求項１２または１３記載の画面表示装置において、
前記操作部は、前記表示画面の辺に設けられた平面状の操作面を有し、
該操作面でのタッチによる操作点を前記表示画面の辺に沿う方向に移動させることにより、前記関連表示体の前記第１の群と前記第２の群との間の移動を行なうことを特徴とする画面表示装置。
【発明の詳細な説明】
【技術分野】
【０００１】
本発明は、情報記憶装置に格納されているコンテンツを検索するためのコンテンツ検索画面などを表示する画面表示装置に関する。
【背景技術】
【０００２】
近年、ハードディスクなどの情報記憶装置の記憶容量が増大化し、デレビ番組などの多くのコンテンツが記憶できるようになってきており、このため、かかる記憶記憶装置からのコンテンツの検索方法が種々知られている。その一例として、記憶されて各コンテンツ毎に直方体ブロックを形成し、これらをジャンル毎に区分して積み重ねることにより、「島」を形成し、これら「島」を３次元的に配列表示してコンテンツの検索ができるようにした技術が提案されている（例えば、特許文献１参照）。
【０００３】
この特許文献１に記載の技術は、各ジャンル毎に、最大水平方向に５個、垂直方向に５個、奥行き方向に５個の直方体ブロックが積み重ねられた「島」が１以上３次元的に表示されたものであり、ジャンルを指定することにより、指定されたジャンルの「島」の１つが、各行（水平方向の直方体ブロックの配列）毎に分離されて表示画面に拡大表示され、かつ、その内のいずれか１つの行では、その５個の積み重ね毎に最も手前側の直方体ブロックで夫々該当するコンテンツが動画のサムネイルで表示され、これ以外の行での積み重ねの最も手前側の各直方体ブロックでは、タイトルが表示される。動画のサムネイルが表示される行は、リモコン操作によるカーソルの行指定により、変更することができる。
【０００４】
なお、この最も手前側の直方体ブロックにコンテンツが動画のサムネイルが表示される直方体ブロックの行では、奥行き方向に配列される各直方体ブロックが完全に重なるように表示されるが、これ以外の行では、奥行き方向に配列される各直方体ブロックが互いに行方向，列方向に順次若干ずれた状態で積み重ねられているように表示され、これにより、直方体の積み重ね数、従って、コンテンツの数量が分かるようにしている。
【０００５】
このようなジャンルでの表示状態において、リモコンで所定操作をすると、５行×５列の直方体ブロックの各積み重ねの奥行き方向最前列の直方体ブロックが全て該当する積み重ねでの最後尾に移動し、これによって最前列となる直方体ブロックに該当するコンテンツが動画のサムネイルとして表示される。リモコンの操作によっては、直方体ブロックを逆方向に移動させることができる。
【特許文献１】特開２００７ー８９０８８号公報
【発明の開示】
【発明が解決しようとする課題】
【０００６】
上記特許文献１に記載の技術では、カード状の直方体ブロックを奥行き方向に積み重ねて３次元配列して直方体ブロックの重なりとし、かかる直方体ブロックの重なりを複数、即ち、５個行方向（横方向）に配列して表示するとともに、これら直方体ブロックの夫々の重なりで最前列の直方体ブロックにコンテンツを動画として表示し、これら複数の直方体ブロックの重なりの最前列の直方体ブロックを同じ重なりの最後尾に移すことにより、次の直方体ブロックが最前列になってコンテンツが表示されるようにすることにより、各直方体ブロックの重なり毎にコンテンツが異なる直方体ブロックが順次最前列に現われるようにして、コンテンツを検索できるようにしている。
【０００７】
ところで、上記特許文献１に記載の技術では、直方体ブロックの重なりの最前列の直方体ブロックがこの同じ重なりの最後尾に移動されることにより、次の直方体ブロックが最前列の直方体ブロックとなるようにしているものであるため、かかる重なりでの順次の直方体ブロックを順番に最前列の直方体ブロックとして順次のコンテンツを認識することができるものであるが、一度最前列となった直方体ブロックが再び最前列のコンテンツとなることになる。
【０００８】
この場合、上記特許文献１に記載の技術では、１つの重なりの直方体ブロック数が５個と少ない場合には、各別問題はないものと考えられるが、１つの重なりの直方体のブロック数が多くなった場合には、１つ１つの直方体ブロックで表示されるコンテンツを正確に記憶することはユーザにとって困難なことであり、このため、一度最前列となって直方体ブロックが再び最前列となっても、気が付かず、即ち、既に一度コンテンツを見たことを瞬時に認識することができず、そのまま再び同じ操作が繰り返される可能性があり、無駄な操作が行なわれることになる。
【０００９】
しかも、かかる複数の直方体ブロックの重なりからなる行が複数、表示画面に同時に表示されるものであり、１つの行の直方体ブロックの重なりにユーザが希望するコンテンツの直方体ブロックが存在しない場合もあり、このために、かかる直方体ブロックが見つからない場合には、上記のように、一度最前列となって直方体ブロックが再び最前列となっても、これに気が付かず、そのまま再び同じ操作が繰り返される可能性が大きなものとなる。
【００１０】
また、上記特許文献１に記載の技術では、１行複数の直方体ブロックの重なりで夫々の最前列の直方体ブロックでコンテンツが表示されるものであるから、これら最前列の直方体ブロック毎に表示されるコンテンツを確認する必要があり、ユーザは夫々の直方体ブロックに視線を移す必要がある。そして、これら直方体ブロックに所望とするコンテンツがない場合には、次の直方体ブロックを最前列のものとするために、視線をリモコンの操作面に移してリモコンの操作を行なわなければならず、所望とするコンテンツの直方体ブロックが見つかるまで、視線の動きとリモコンのかかる操作を行なわなければならず、ユーザには、非常に手間が掛かるものであるし、また、時間も掛かることになる。
【００１１】
さらに、リモコンには、上記のように、最前列の直方体ブロックを変更するための操作ボタンが必要であるし、複数の最前列の直方体ブロックの中から所望のコンテンツの直方体ブロックを見つけ出した場合には、この所望のコンテンツの直方体ブロックを選択してコンテンツを表示させるために、カーソルでこの直方体ブロックをフォーカスさせるための操作ボタンやこれを決定してコンテンツを表示させるための操作ボタンも必要であり、１つの行で希望するコンテンツを検索できない場合には、他の行に変更するための操作ボタンも必要であり、このように各種のボタンをリモコンに設ける必要があることから、上記のように、かかるリモコンを操作する場合には、視線をこのリモコンに移す必要があるし、また、表示画面での状況に応じて操作ボタンの操作も必要となって、煩雑で手間が掛かるな操作をユーザに強いることになる。
【００１２】
さらにまた、最前列の直方体ブロックにコンテンツが表示される１行複数（５個）の直方体ブロックの重なりでは、この最前列の直方体ブロックのみが表示されて、他の複数の直方体ブロックはこの最前列の直方体ブロックに完全に重なって隠れた状態にある。このように、直方体ブロックの重なりでの直方体ブロックの個数が少ない場合には、特に問題はないと思われるが、直方体ブロックの個数を充分多い場合には、この重なりにどの位の直方体ブロックが積み重ねられているのか、不明であり、このため、現在最前列に表示される直方体ブロックがこの重なりでどの位の位置にあるのか、即ち、この検索が序盤であるのか、中盤であるのか、あるいは終盤であるのかを瞬時に把握することが困難であり、どこまで検索操作をすればよいのか分からなくなって、検索が非常にやりにくいものとなる。
【００１３】
さらにまた、１行複数の直方体ブロックの重なりの最前列の直方体ブロックのコンテンツを同時に表示させると、夫々のコンテンツの表示領域が小さくなり、非常に見難いものとなるし、また、１行当りの直方体ブロックの個数を少なくすると、行を変更するためのリモコン操作の回数が増大化し、操作が煩雑になる。
【００１４】
本願発明の目的は、かかる問題を解消し、表示されるコンテンツの確認を容易にし、検索操作を簡略化して、コンテンツ検索のための操作性を高めることができるようにした画面表示装置を提供することにある。
【課題を解決するための手段】
【００１５】
上記目的を達成するために、本発明は、操作部と、表示画面と、該操作部から出力される操作信号により、該表示画面での表示を制御する制御部とを備え、（１）該制御部の制御により、該表示画面に、複数の表示体が夫々、相互の配置関係が決められて互いに異なる領域に全面表示され、該複数の表示体のいずれか１つが、選択表示体として、該表示画面の中央部の領域に表示されて、該選択表示体には、動画が表示され、該選択表示体以外の該表示体には、静止画が表示され、（２）該操作部からの操作信号に伴う該制御部の制御により、該表示画面内で、該相互の配置関係を保ちながら、予め決められた選択表示体となる順序で次に選択表示体となる該表示体が該表示画面の中央部の該領域に向かうように、各該表示体が連続的に移動し、次に選択表示体となる該表示体が該表示画面の中央部の領域で動画が表示された新たな選択表示体として表示されるとともに、該表示画面に表示される複数の表示体が該移動前とは異なるものである。
【００１６】
また、本発明は、移動中では、複数の前記表示体からなる画面の表示の第２の縮尺率が、移動前後の複数の前記表示体からなる画面の表示の第１の縮尺率よりも小さく、より多くの前記表示体を含む画面が表示されるものである。
【００１７】
さらに、本発明は、前記制御部の制御により、前記新たな選択表示体は、前記表示画面の中央部で表示開始された時点から前記第１の縮尺率よりも大きい縮尺率で拡大表示され、所定の時間経過後、前記第１の縮尺率の表示の状態となるものである。
【００１８】
上記目的を達成するために、本発明は、操作部と、表示画面と、該操作部から出力される操作信号により、該表示画面での表示を制御する制御部とを備え、該表示画面に、複数の表示体が第１，第２の群に区分されて、かつ該第１，第２の群毎に該表示体が、互いにずらした状態で、重ねられ表示され、該第１の群での最上の該表示体が該表示画面の中央部の第１の領域に配置されて表示されて、該第２群は該表示画面での該第１の群とは異なる第２の領域に配置されて表示され、該第１の群の最上の全面表示される該表示体を選択表示体として、該選択表示体に動画が表示され、該選択表示体以外の該表示体に静止画が表示されるものである。
【００１９】
また、本発明は、前記操作部からの操作信号により、前記制御部が、前記第１の領域と前記第２の領域との間で、前記第１の群または第２の群の最上の前記表示体を移動させるものである。
【００２０】
さらに、本発明は、前記選択表示体の移動により、その移動方向に応じて、前記第１の領域での前記第１の群と前記第２の領域での前記第１の群のいずれか一方の前記表示体が１個減り、他方の前記表示体が１個増えるものである。
【００２１】
さらに、本発明は、前記操作部は、前記表示画面の辺に設けられた平面状の操作面を有し、該操作面でのタッチによる操作点を前記表示画面の辺に沿う方向に移動させることにより、前記表示体の前記第１の群と前記第２の群との間の移動を行なうものである。
【００２２】
さらに、本発明は、前記第２の領域の前記第２の群での全ての前記表示体は、その一部分が表示されるものである。
【００２３】
さらに、本発明は、前記操作部からの操作信号により、前記制御部が、前記選択表示体に該当するコンテンツを前記表示画面全体に表示するものである。
【００２４】
上記目的を達成するために、本発明は、操作部と、表示画面と、該操作部から出力される操作信号により、該表示画面での表示を制御する制御部と、コンテンツの動画ファイルと静止画の表示用画像ファイルと該コンテンツ間の関係を示す情報テーブルとが格納された情報記憶部とを備え、該情報記憶部に格納されているコンテンツのいずれかが動画として該表示画面に表示されているとき、該操作部からの操作信号による該制御部の制御により、該表示画面にタイムスケールと該タイムスケール上の該動画の再生位置を示すタイムスライダとからなる再生位置選択手段が表示され、かつ、該操作部からの操作による該制御部の制御により、該タイムスライダが該タイムスケール上を移動して、該表示画面に表示される該動画の再生位置が変化し、その際、前記情報テーブルには、各コンテンツ毎に該当する表示体の情報が登録されているとともに、該表示体の情報毎に、これに該当するコンテンツに関連する関連コンテンツの該表示体の情報と、該該当するコンテンツが再生開始されてからの該関連コンテンツの再生開始時間とを示す関連情報が登録されており、
前記表示画面に、前記再生位置選択手段とともに、前記表示画面に表示されている前記コンテンツの該関連コンテンツに該当する該表示体の情報を、該関連コンテンツが再生開始する時点に相当する前記再生位置選択手段の前記タイムスケール上の位置に表示するものである。
【００２６】
さらに、本発明は、前記タイムスケール上の前記表示体の情報を指摘する前記操作部からの操作信号により、指摘された前記表示体の情報に対する表示体を前記表示画面に表示し、かつ該表示体に、該表示体に該当するコンテンツを動画として、もしくは該該当するコンテンツに対する前記静止画を表示するものである。
【００２７】
上記目的を達成するために、本発明は、操作部と、表示画面と、該操作部から出力される操作信号により、該表示画面での表示を制御する制御部とを備え、選択対象のコンテンツに対する選択表示体が該表示画面の第１の領域に、該選択対象のコンテンツに関連する関連コンテンツに対する１以上の関連表示体が該表示画面の該第１の領域とは異なる第２の領域に夫々表示され、該第２の領域では、少なくとも１以上の該関連表示体が、互いにずらした状態で、重ね合わされた第１の群と、該第１の群とは異なる少なくとも１以上の該関連表示体が、互いにずらした状態で、重ね合わされた第２の群とが異なる領域に表示され、該操作部からの操作信号により、該制御部が、該第１の群と該第２の群との間で該関連表示体を移動させ、該第１の群の最上となる該関連表示体に該当する関連コンテンツを動画で表示するものである。
【００２８】
また、本発明は、前記第１の群と前記第２の群との間の前記関連表示体の移動は、前記第１の群の最上の前記関連表示体が前記第２群の最下の位置に移動し、あるいは前記第２の群の最下の前記関連表示体が前記第１群の最上の位置に移動するものであるものである。
【００２９】
さらに、本発明は、前記操作部は、前記表示画面の辺に設けられた平面状の操作面を有し、該操作面でのタッチによる操作点を前記表示画面の辺に沿う方向に移動させることにより、前記関連表示体の前記第１の群と前記第２の群との間の移動を行なうものである。
【発明の効果】
【００３０】
本発明によると、１つの表示体でのみコンテンツが動画として表示されるので、コンテンツの確認が容易であり、確実に所望とするコンテンツを見つけ出すことができるとともに、操作部と、かかる表示体を表示する表示画面を有する画面表示装置に設けられた操作を操作するものであるから、視線を大きく移動させることなく、操作ができることになり、操作性が向上する。
【発明を実施するための最良の形態】
【００３１】
以下、図面を用いて本発明の実施形態を説明する。
【００３２】
図１はコンテンツ検索機能を有する本発明による画面表示装置の第１の実施形態を示す図であって、同図（ａ）は正面図、同図（ｂ）は同図（ａ）での分断線Ａ−Ａに沿う断面図であり、１はこの実施形態の画面表示装置、２は表示画面、３はタッチ操作部、４は圧力感知部、５は枠状リブ、６は筐体、７はタッチパネル部、８は表示部、８ａは表示面、９は基板、１０は保持部である。
【００３３】
図１（ａ），（ｂ）において、画面表示装置１は携帯情報端末装置をなすものであって、その筐体６内には、液晶の表示部８や基板９，電源（図示せず）が内蔵されており、また、筐体６の開放口側の全周にわたって形成された保持部１０により、タッチパネル部７の周囲が保持されている。また、このタッチパネル部７の四隅では、圧力感知部４が、このタッチパネル部７とともに、保持部１０によって保持されている。
【００３４】
タッチパネル部７は全体が光透過性のものであって、このタッチパネル部７を通して表示部８の表示面８ａを見ることができ、これが画面表示装置１の、例えば、５インチの表示画面２をなしている。
【００３５】
また、このタッチパネル部７の表面でのこの表示画面２の縁部全体に沿って枠状をなすリブ（突起）５が設けられており、タッチパネル部７でのこのリブ５よりも外側の領域をタッチ操作部３としている。表示画面２で後述するコンテンツ検索画面が表示された状態でタッチ操作部３をタッチ操作することにより、コンテンツの検索のための操作をすることができる。リブ５はかかるタッチ操作部３の領域の内側（表示画面２側）の境界を規定するものであって、タッチ操作する指先の触覚によってもこのタツチ操作部３の境界を認識することができ、これにより、タッチ操作部７での表示部８の表示面８ａに対向する上面に指先が触れることを防止することができて、表示画面２が汚れるのを防止することができる。
【００３６】
このタッチ操作部３でのタッチ操作位置は、圧力感知部４、特に、このタッチ操作位置を挟む２つの圧力感知部４によって感知される。
【００３７】
図２はコンテンツ検索機能を有する本発明による画面表示装置の第２の実施形態を示す図であって、同図（ａ）は正面図、同図（ｂ）は同図（ａ）での分断線Ｂ−Ｂに沿う断面図であり、１１はタッチパネル部（タッチ操作部）、１２は保護ガラスであり、図１に対応する部分には同一符号をつけて重複する説明を省略する。
【００３８】
図２（ａ），（ｂ）において、この第２の実施形態は、図１に示す第１の実施形態が表示部８の表示面８ａを覆うようにしてタッチパネル部７を設けたのに対し、保護ガラス１２でこの表示部８の表示面８ａを覆って保護し、第１の実施形態でのタッチ操作部３の領域に相当する領域にのみタッチパネル部１１を設けられた構成をなした携帯情報端末装置である。
【００３９】
ここで、この第２の実施形態では、表示部８の表示面８ａによる表示画面２の４つの辺夫々毎に細長いタッチパネル部１１が設けられ、これら４つのタッチパネル部１１が表示画面２の周囲全体を囲んでいる。そして、これらタッチパネル部１１の両端部に夫々圧力感知部４が設けられており、いずれかのタッチパネル部１１にタッチすると、このタッチされたタッチパネル部１１の両端部の２つの圧力感知部４がこれを感知する。従って、これらタッチパネル部１１がこの画面表示装置１のタッチ操作部をなしている。以下では、このタッチパネル部１１をタッチ操作部１１ともいうことにする。
【００４０】
ここで、図１，図２に示す画面表示装置の各実施形態において、タッチ操作部３，１１に指先でタッチすると、そのタッチ位置を挟む２つの圧力感知部４で検出される圧力（検知圧力）は、このタッチ位置に応じたものであり、タッチ位置がこれら２つの圧力感知部４の中間位置であるときには、これら圧力感知部４の検知圧力は等しいし、タッチ位置がこれら２つの圧力感知位置の一方に偏った場合には、このタッチ位置が近い方の圧力感知部４の検知圧力が遠い方の圧力感知部４の検知圧力よりも大きい。なお、図１に示す第１の具体例では、タッチパネル部３がその四隅で圧力感知部４によって下方から支持された形態となっているので、タッチ位置を挟む２つの圧力感知部４だけが圧力を感知し、それ以外の圧力感知部４はほとんど圧力を感知しない。また、図２に示す第２の実施形態では、表示画面２の夫々の辺に設けられるタッチパネル部１１が別々のタッチパネル部であるため、タッチされたタッチパネル部１１の両端部に設けられた２つの圧力感知部４だけが圧力を感知する。以上のことから、圧力感知部４の検知圧力により、タッチ位置が表示画面２のどの辺側のどの位置にあるかを確実に検出することができる。
【００４１】
図３はコンテンツ検索機能を有する本発明による画面表示装置の第３の実施形態を示す構成図であって、同図（ａ）はコンテンツ検索に使用している状態を示す図、同図（ｂ）は同図（ａ）での分断線Ｃ−Ｃに沿う断面図であり、１３はテレビ受像機、１４は表示画面であり、前出図面に対応する部分には同一符号をつけて重複する説明を省略する。
【００４２】
図３（ａ）において、この第３の実施形態の画面表示装置１は、図１または図２に示す実施形態と同様の構成をなす携帯情報端末装置であるが、コンテンツ検索画面をテレビ受像機１３の表示画面１４でも表示することができるようにしたものである。この場合、画面表示装置１では、図示しないが、コンテンツ検索画面をこの画面表示装置１の表示画面２で表示するか、テレビ受像機１３の表示画面１４で表示するかを選択するための選択手段が設けられている。
【００４３】
テレビ受像機１３の表示画面１４で表示することが選択された場合には、コンテンツ検索画面の映像信号が画面表示装置１からテレビ受像機１３に送信されて、このコンテンツ検索画面が表示画面１４に表示される。このように、コンテンツ検索画面がテレビ受像機１３の表示画面１４に表示された場合でも、このコンテンツ検索画面を用いたコンテンツ検索のための操作は、画面表示装置１でのタッチ操作部３（１１）でのタッチ操作によって行なう。
【００４４】
また、この第３の実施形態の変形例として、画面表示装置１に表示機能を持たせず（即ち、表示部８（図１，図２）を設けず）、映像表示はテレビ受像機１３で行なう構成とすることもできる。この場合には、画面表示装置１に映像処理部を設け、コンテンツ検索画面などの表示画像の映像信号を画面表示装置１で生成してテレビ受像機１３に送信するようにしてもよいし、あるいは、テレビ受像機にコンテンツ検索画面の生成のための映像処理部を設け、画面表示装置１からコンテンツ検索画面に必要な情報をテレビ受像機１３に送信するようにしてもよい。しかし、これら変形例のいずれにおいても、コンテンツ検索画面を用いたコンテンツ検索のための操作は、画面表示装置１でのタッチ操作部３（１１）でのタッチ操作によって行なう。
【００４５】
図３（ｂ）はかかる変形例での画面表示装置１の断面図であって、表示部８を設けない点を除いて、図１，図２に示す実施形態と同様である。
【００４６】
図４は図１，図２または図３に示す画面表示装置１の内部構成の一具体例とこの画面表示装置を用いたコンテンツ検索システムの構成の一具体例とを示すブロック構成図であって、１５は情報表示部、１６は入力装置、１７は出力装置、１８は情報処理装置、１９はメモリ、２０はハードディスク、２１は通信部、２２は情報送受信バス、２３はネットワーク、２４はサーバとしてのリモートストレージ、２５は再生プログラム、２６はカード情報テーブル、２７は表示用画像ファイル、２８は動画ファイル、２９はカード情報テーブル、３０は表示用画像ファイル、３１は動画ファイルであり、前出図面に対応する部分には同一符号をつけている。
【００４７】
同図において、画面表示装置１は、図１，図２における液晶などの表示部８に画像表示させるための情報表示装置１５と、タッチ操作部３，１１などの情報入力のための入力装置１６と、スピーカや、図３に示す具体例の場合では、テレビ受像機１３にコンテンツ検索画面などの情報信号を送信するための送信手段などの出力装置１７と、情報処理や制御装置として各部の制御を行なうＣＰＵ（中央処理ユニット）などからなる情報処理装置１８と、情報処理装置１８を動作させるためのプログラムや処理中の情報を一次記憶する情報記憶装置としてのメモリ１９と、情報記憶装置としてのハードディスク２０と、ネットワーク２３を介してサーバとしてのリモートストレージ２４との間で通信を行なうための通信部２１などが情報送受信バス２１を介して接続された構成をなしている。
【００４８】
ここで、詳細は後述するが、コンテンツ検索画面では、検索対象となるコンテンツ（動画）毎にその検索項目を表示するカード状の表示体（以下、カードアイコンという）で表わされるものであり、このカードアイコンには、これに該当するコンテンツに関する情報（表示用画像や動画）が表示される。
【００４９】
ハードディスク２０には、コンテンツ検索画面に関するデータベースが格納されているものであって、このデータベースとしては、カードアイコンとコンテンツとの対応関係などが登録されているカード情報テーブル２６と、コンテンツ毎のサムネイル（静止画像）などの表示用画像のファイル２７と、コンテンツとしての動画情報のファイル（動画ファイル）２８とが格納されているものであり、さらに、情報処理装置１８からの指示に基づいてコンテンツ検索画面のための必要な情報を読み出すための再生用プログラム２５が格納されている。従って、情報処理装置１８からの指示により、このハードディスク２０からコンテンツ検索画面のための必要な情報を取得し、情報処理装置１８で処理した後、情報表示装置１５により、表示画面２（図１〜図３）にコンテンツ検索画面を表示させることができる。
【００５０】
また、リモートストレージ２４においても、同様にして、カード情報テーブル２９や表示用画像ファイル３０，動画ファイル３１などが格納されており、情報処理装置１８からの指示により、このリモートストレージ２４からも、コンテンツ検索画面のための必要な情報を取得することができ、これによって、情報表示装置１５により、表示画面２（図１〜図３）にコンテンツ検索画面を表示させることができる。
【００５１】
なお、コンテンツ検索画面の表示指示は、電源の投入により、あるいは、タッチ操作部３，１１のタッチ操作による入力装置１６からの指示入力により、情報処理装置１８がハードディスク２０やリモートストレージ２４からの必要な情報の読み取りを指示して行なわれるものであり、また、コンテンツ検索画面による検索操作も、タッチ操作部３，１１のタッチ操作によって行なわれ、その操作による指示が入力装置１６から入力されて情報処理装置１８に送られ、この情報処理装置１８の制御のもとに、コンテンツの検索処理が行なわれるものである。検索結果に該当するコンテンツ、即ち、動画ファイル２８または３１がハードディスク２０またはリモートストレージ２４から取得され、情報表示装置１５に供給されて表示画面２に表示される。図３に示す第３の実施形態やその変形例の場合には、この動画ファイルが出力装置１７からテレビ受像機１３に供給され、表示画面１４に検索されたコンテンツが動画として表示される。
【００５２】
図５は図４におけるカード情報テーブル２６，２９の一具体例を示す図である。
【００５３】
同図において、コンテンツ検索画面に表示される各コンテンツの検索項目を表わすカードアイコンには、夫々カードＩＤ(IDentification：識別子)２６ａが割り当てられており、カードアイコン毎に、従って、カードＩＤ２６ａ毎に該当するコンテンツ（動画ファイル２８，３１）のタイトル２６ｂ、カードアイコンに貼り付けて表示する表示用画像（テクスチャ）２７，３０のファイル名２６ｃ、該当するコンテンツ（動画ファイル２８，３１）のファイル名（ビデオファイル名）２６ｄ、ジャンル２６ｅ、該当するコンテンツ（動画ファイル２８，３１）の作成日時２６ｆ、該当するコンテンツ（動画ファイル２８，３１）の作成後の最後に再生した日時２６ｇ、カードアイコンが仮想的に配置された座標系をなす仮想の３次元空間（以下、カードアイコンの仮想３次元空間という）内でのこのカードアイコンの配置情報（位置や角度（姿勢））２６ｈ、関連するカードアイコンのカードＩＤ（関連カードＩＤ）２６ｉ、その他諸々の情報２６ｊが付加されている。なお、一度も再生されないコンテンツについては、データ作成日時２６ｆの情報は存在するものの、最後に再生した日時２６ｇの情報は存在せず、その欄は空白となっている。
【００５４】
ここで、まず、図６により、コンテンツ検索画面に表示されるカードアイコンについて説明する。
【００５５】
同図において、カードアイコン３２には、タイトル表示領域３３と画像表示領域３４とこれら以外の背景領域３５とが設けられており、タイトル表示領域３３には、図５に示すカード情報テーブル２６に登録されている該当するコンテンツのタイトル２６ｂが表示される。また、画像表示領域３４には、同じく該当するコンテンツの表示用画像ファイル名２６ｃのサムネイル（静止画像）などの表示用画像が貼り付けられて表示され、あるいは、このコンテンツ（ビデオファイル名２６ｄの動画像ファイル）が動画像として表示される。なお、背景領域３５では、所定の模様が表示されるが、他の情報、例えば、ジャンル２６ｅやデータ作成日時２６ｆなどを表示するようにしてもよい。
【００５６】
ここで、このカード情報テーブル２６での配置情報２６ｈについて説明する。
【００５７】
コンテンツ検索画面でのカードアイコン３２の表示の仕方としては、後述するように、いくつかの表示状態があり、夫々毎に表示状態１，２，……ということにする。これら表示状態の１つである表示状態１では、各カードアイコン３２がカードアイコンの仮想３次元空間内で夫々の位置に夫々の姿勢で配置されている状態を示すものであり、夫々のカードアイコンの位置，姿勢を表わすのが配置情報２６ｈである。
【００５８】
図７はかかる配置情報２６ｈを説明するための図であって、カードアイコンの仮想３次元空間内でのカードアイコン３２の位置と姿勢（角度）とを示すものである。
【００５９】
カードアイコン３２の位置は、ＸＹＺ軸からなるのカードアイコンの仮想３次元空間でのこのカードアイコン３２の中心位置の座標（ｘ１，ｙ１，ｚ１）で表わされ、このカードアイコン３２の姿勢は、ヨー（yaw：方位角），ピッチ（pitch：仰角），ロール（roll：回旋角）で表わされる。ヨーはカードアイコン３２の中心位置を通るＺ軸に平行なＺ’軸を中心軸として回動した状態を表わすものであって、この回動状態はその回動角（yaw角）で表わされる。ピッチはカードアイコン３２の中心位置を通るＹ軸に平行なＹ’軸を中心軸として回動した状態を表わすものであって、この回動状態はその回動角（pitch角）で表わされる。ロールはカードアイコン３２の中心位置を通るＸ軸に平行なＸ’軸を中心軸として回動した状態を表わすものであって、この回動状態はその回動角（roll角）で表わされる。これらyaw角度，pitch角度及びroll角度によってカードアイコン３２の姿勢が表わされる。例えば、図５でのカード情報テーブル２６，２９に登録されたカードＩＤ２６ａが「０００１」のカードアイコン３２は、このカードアイコンの仮想３次元空間での位置が（ｘ０，ｙ０，ｚ０）であり、姿勢がヨー，ピッチ，ロールの角度によって（yaw０，pitch０，roll０）となっている。また、他のカードアイコン３２ａ，３２ｂについても、カード情報テーブル２６，２９において、カードアイコンの仮想３次元空間でのその位置，姿勢に応じた配置情報が設定登録されている。
【００６０】
このようにして、検索対象となるコンテンツの全てに該当するカードアイコン３２が、カードアイコンの仮想３次元空間において、夫々の位置に夫々の姿勢で配置された状態に仮想されるものであり、かかる位置，姿勢の情報が、配置情報２６ｈとして、カード情報テーブル２６，２９に登録される。
【００６１】
上記の表示状態１は、カードアイコンの仮想３次元空間での各カードアイコン３２の配置状態をＺ軸に平行な方向から見たものであって、カードアイコンの１つを１枚のトランプのカードに見立て、まるでトランプのカードがテーブル上に散乱しているかのように表示されているものである。これは、上述のように、カードアイコンが夫々異なる位置，異なる姿勢の情報を有していることにより、実現できる。
【００６２】
図８はカードアイコンの仮想３次元空間での各カードアイコン３２の配置状態（位置，姿勢）をそのＺ軸方向から見た図を示すものであって、画面表示装置１の表示画面２で表示される部分は、その一部の枠２’で示す領域である。この枠２’内の領域が表示画面２の領域に相当するものであって、この枠２’をカードアイコンの仮想３次元空間でのＸＹ平面に平行に移動させることにより、表示画面２で表示されるカードアイコンの仮想３次元空間での領域が変更されて、別のカードアイコン３２を表示させることができるものである。また、この枠２’をカードアイコンの仮想３次元空間のＺ軸に平行に移動させることにより、表示画面２で表示させる領域を拡大，縮小させることができ、特定のカードアイコン３２を拡大して表示させたり、縮小してより大きな領域でのカードアイコン３２の配置状態を表示させたりすることができるものである。
【００６３】
図５において、関連カードＩＤ２６ｉは、コンテンツ毎にそれに関連するコンテンツをカードアイコン３２で表わしたものである。関連カードＩＤ２６ｉを用いることにより、コンテンツ検索画面では、関連し合うコンテンツのカードアイコン３２を関連付けて表示するとともに、表示画面２全体にコンテンツを表示する表示状態（表示状態３）では、自動的に関連するコンテンツの表示に切り替えることができるようにしている。このために、関連カードＩＤ２６ｉでは、関連するコンテンツのカードＩＤ２６ａを登録するとともに、関連するコンテンツの表示の切り替わり時点を表わす情報も登録される。
【００６４】
例えば、カードＩＤ２６ａが「０００１」のコンテンツについて見ると、関連カードＩＤ２６ｉでは、関連するコンテンツとして、「０００３」，「０００４」のカードＩＤ２６ａが登録されており、さらに、「００：３０：１０＝０００３」，「００：３９：１０＝０００４」とカードＩＤ２６ａに関連して時間情報が登録されているが、これは、カードＩＤ２６ａが「０００１」のコンテンツが再生開始されてから３０分１０秒後にカードＩＤ２６ａが「０００３」のコンテンツの再生に切り替わり、さらに、３９分１０秒後にカードＩＤ２６ａが「０００４」のコンテンツの再生に切り替わることを表わしている。この時間情報は、最初に再生開始されたコンテンツに関連するコンテンツの再生開始時刻を決めるものであり、最初に再生開始されたコンテンツから再生が切り換わるコンテンツは、この再生開始されたコンテンツに関連する関連カードＩＤ２６ｉに登録されているコンテンツのみである。
【００６５】
そこで、カードＩＤ２６ａが「０００３」のコンテンツの関連カードＩＤ２６ｉには、カードＩＤ２６ａが「０００６」，「０００４」が登録されているが、上記のように、カードＩＤ２６ａが「０００１」の最初に再生されるコンテンツから切り替わってカードＩＤ２６ａが「０００３」のコンテンツが再生開始されても、カードＩＤ２６ａが「０００３」のコンテンツの関連カードＩＤ２６ｉでの登録内容に関係なく、カードＩＤ２６ａが「０００１」のコンテンツの関連カードＩＤ２６ｉでの登録内容に従って、上記のように、カードＩＤ２６ａが「０００４」のコンテンツの再生に切り替わるものである。
【００６６】
次に、以上の構成の画面表示装置１を用いた本発明によるコンテンツ検索画面の表示方法の実施形態について説明する。
【００６７】
図９は本発明による画面表示装置でのコンテンツ検索画面の表示方法の一具体例を示すフローチャートである。以下、図４を参照して説明する。なお、この具体例では、電源が投入されると、コンテンツ検索モードが設定されるものとするが、所定の操作によってコンテンツ検索モードが設定されるようにしてもよい。
【００６８】
図９において、画面表示装置１に電源が投入されると（ステップＳ１−１）、情報処理装置１８はハードディスク２０から再生プログラム２５を読み込んでメモリ１９に書き込み（ステップＳ１−２）、これを実行開始する（ステップＳ１−３）。これにより、情報処理装置１８はハードディスク２０からカード情報テーブル２６を読み取り、これをもとに各コンテンツ毎のカードアイコン３２（図６）を作成し、各アイコン３２を、カード情報テーブル２６での配置情報２６ｈに基づいて、図７で説明したように、カードアイコンの仮想３次元空間内の指定される位置に指定される姿勢で配置し、カードアイコン３２を初期化する（ステップＳ１−４）。そして、図８に示す表示枠２’の位置（即ち、視点）をカード情報テーブル２６での先頭のカードＩＤ「０００１」に対応するカードアイコン３２がこの表示枠２’の中心位置にあるように、視点の位置を設定して視点を初期化する（ステップＳ１−５）。
【００６９】
なお、上記の再生プログラム２５により、リモートストレージ２４の情報も読み取られるが、これはハードディスク２０から読み取られる情報と同様のものであるので、以下では、ハードディスク２０から読み取られる情報について説明する。
【００７０】
情報処理装置１８は、このように各カードアイコン３２の位置，姿勢が初期設定され、視点が初期設定された状態での表示枠２’内の画像情報を処理して情報表示装置１５に供給し、この画像情報をコンテンツ検索画面として表示画面２（図１，図２）に表示させる。このとき、表示画面２の中央部で表示されているカードアイコン３２（上記の場合、先頭のカードＩＤ「０００１」に対応するカードアイコン）では、これに対する動画ファイル２８がハードディスク２０から読み出されてその画像表示領域３４（図６）に表示され、これ以外のカードアイコン３２では、これに対する表示用画像ファイル２７がハードディスク２０から読み出されて、その画像表示領域３４に貼り付け表示される（ステップＳ１−６）。
【００７１】
この場合には、図１０（ａ）に示すように、カードアイコンの仮想３次元空間内にカードアイコン３２が分散して配置された状態で表示されるものであるが、かかる表示状態を表示状態（分散表示状態）１という。また、後述するように、画面表示装置１のタッチ操作部３，１１をタッチ操作することにより、他の表示状態を表示させることができるが、その１つは、図１０（ｂ）に示すように、カードアイコン２を２つのグループに分けて重ね合わせたようにした表示状態があり、これを表示状態（重ね合わせ表示状態）２ということにする。他の１つは、検索されたコンテンツの動画ファイル２８をハードディスク１９から読み込んで動画表示させる表示状態であって、この場合には、図１０（ｃ）に示すように、他の付加情報３６も多重して表示できるものであり、これを表示状態（多重表示状態）３という。さらに他の１つは、図１０（ｄ）に示すように、選択されたカードアイコンと、このカードアイコンのコンテンツと関連するコンテンツのカードアイコンとを表示するものであって、これを表示状態（関連表示状態）４という。
【００７２】
このように、この実施形態では、４種類の表示状態１〜４をタッチ操作部３，１１の操作によって選択できるものであって、表示画面２に表示される表示状態に応じて、メニューボタンや再生位置選択手段，多重情報も表示画面２に表示される（図９でのステップＳ１−７）。なお、ステップＳ１−７で表示されたメニューボタンや再生位置選択手段，多重情報は、一定時間経過すると、自動的に表示されなくなる。
【００７３】
画面表示装置１のタッチ操作部３，１１でタッチ操作がなされ（図９でのステップＳ１−８の“Ｙｅｓ”）、このタッチ操作がコンテンツ検索画面の表示終了のためのものであるときには（図９でのステップＳ１−９の“Ｙｅｓ”）、再生プログラム２５による動作が終了し、コンテンツ検索画面の表示が終了するが（図９でのステップＳ１−１２）、このタッチ操作がコンテンツ検索画面の選択や操作のためのものであるときには（図９でのステップＳ１−９の“Ｎｏ”）、このタッチ操作による指示に従った処理が実行され（図９でのステップＳ１−１０）、図１１で後述するように、ステップＳ１−１０での処理がカード視点の位置・角度の移動・変更目標を変更後の状態に対応する値にセットする処理であった場合には、移動・変更目標への移動を動画として表示するために、動画を時間で分割することにより、移動・変更目標へ向かう途中経過の分割された静止状態にカードアイコン３２の位置や姿勢を変化させる（図９でのステップＳ１ー１１）。その後、ステップＳ１−６，Ｓ１−７で再度描画を行ない、入力操作がない場合（図９でのステップＳ１−８での“Ｎｏ”）には、再度ステップＳ１−１１で前に表示された静止状態の次の時間における静止状態にカードアイコン３２の位置や姿勢を変化させる（図９でのステップＳ１−１１）。このように、高速にステップＳ１−１１，Ｓ１−６，Ｓ１−７，Ｓ１−８の一連の処理を繰り返すことにより、最終の移動・更新目標への変化の様子を動画として表示することができる。
【００７４】
ここで、ステップＳ１−１０で、タッチ操作部３，１１でのタッチ操作に応じて行なわれる表示状態の変更について説明する。
【００７５】
図１１は図９におけるステップＳ１−１０の一具体例を示すフローチャートである。
【００７６】
同図において、画面表示装置１のタッチ操作部３，１１でコンテンツ検索画面の表示終了指示以外のタッチ操作が行なわれると（図９でのステップＳ１−８，１−９）、このタッチ操作に伴う入力装置１６からの指示入力を判定する。この指示入力が表示状態の変更を指示するものであれば（図１１でのステップ２−１の“Ｙｅｓ”）、カードアイコン３２や視点の位置，姿勢を指定される表示状態に応じた値がセットされ（図１１でのステップ２−２）、図９のステップＳ１−１０に進む（図１１でのステップ２−１１）。図９のステップＳ１−１１では、カードアイコン３２や視点の位置，姿勢がこのセットされた値に設定され、指定された表示状態のコンテンツ検索画面が表示画面２に表示される（図９のステップＳ１−６）。
【００７７】
入力装置１６からの指示入力が、表示状態の変更を指示するものでなく（図１１でのステップ２−１の“Ｎｏ”）、表示状態１での操作を指示するものであれば（図１１でのステップ２−３の“Ｙｅｓ”）、この指令に基づくこの表示状態１でのカードアイコン３２や視点の位置，姿勢の目標値をセットし（図１１でのステップ２−４）、図９のステップＳ１−１１でカードアイコン３２や視点の位置，姿勢をこの目標値に設定する。
【００７８】
入力装置１６からの指示入力が、表示状態の変更を指示するものでなく（図１１でのステップ２−１の“Ｎｏ”）、表示状態２での操作を指示するものであれば（図１１でのステップ２−５の“Ｙｅｓ”）、この指令に基づくこの表示状態１でのカードアイコン３２や視点の位置，姿勢の目標値をセットし（図１１でのステップ２−６）、図９のステップＳ１−１１でカードアイコン３２や視点の位置，姿勢をこの目標値に設定する。
【００７９】
入力装置１６からの指示入力が、表示状態の変更を指示するものでなく（図１１でのステップ２−１の“Ｎｏ”）、表示状態３での操作を指示するものであれば（図１１でのステップ２−７の“Ｙｅｓ”）、この指令に基づくこの表示状態１でのカードアイコン３２や視点の位置，姿勢の目標値をセットし（図１１でのステップ２−８）、図９のステップＳ１−１１でカードアイコン３２や視点の位置，姿勢をこの目標値に設定する。
【００８０】
入力装置１６からの指示入力が、表示状態の変更を指示するものでなく（図１１でのステップ２−１の“Ｎｏ”）、表示状態４での操作を指示するものであれば（図１１でのステップ２−９の“Ｙｅｓ”）、この指令に基づくこの表示状態１でのカードアイコン３２や視点の位置，姿勢の目標値をセットし（図１１でのステップ２−１０）、図９のステップＳ１−１１でカードアイコン３２や視点の位置，姿勢をこの目標値に設定する。
【００８１】
図１２は図１１におけるステップＳ２−４の一具体例を示すフローチャートである。これを図１に示す画面表示装置１の表示画面２での図１３に示す表示状態１のコンテンツ検索画面の表示を用いて説明するが、図２，図３に示す画面表示装置１であっても、同様である。また、ここでは、図４でのハードディスク２０での記憶情報を利用するものとするが、リモートストレージ２４での記憶情報を利用しても同様である。
【００８２】
また、図１３は表示状態１での検索操作手順の一具体例を示す図であって、３２1，３２2，３２3はカードアイコン、３Ｒはタッチ操作部であり、前出図面に対応する部分には同一符号をつけて重複する説明を省略する。
【００８３】
表示状態１では、図１３（ａ）に示すように、画面表示装置１の表示画面２には、カードアイコン３２1，３２2，３２3，……が分散して配置されたコンテンツ検索画面が通常の縮尺率で表示されており、そのうちの１つ、ここでは、カードアイコン３２1が表示画面２の中央部に表示されている。この１つのカードアイコン３２1は、表示画面２の中央部で大きく表示されるように、コンテンツ検索画面がズームイン（拡大）された状態にあり、これに伴い、このカードアイコン３２１の近傍のカードアイコン３２2，３２3は一部表示画面２からはみ出して表示される。
【００８４】
そして、情報処理装置１８は、通常、これらカードアイコン３２の画像表示領域３４（図６）には、該当するコンテンツのサムネイルなどの表示用画像が表示されているが、後述する動画処理プロセスを実行して、表示画面２の中央部に表示されているカードアイコン３２1だけは、ハードディスク２０（図４）から読み込んだ該当するコンテンツの動画ファイル２８（図４）が動画として表示される。これにより、表示画面２の中央部での１つのカードアイコン３２1では、この動画が拡大して表示され、その内容が確認し易いものとなっている。
【００８５】
かかる処理は、情報処理装置１８（図４）により、図９でのステップＳ１−４，Ｓ１−５の表示状態１での表示に際し、動画処理プロセスにより、表示画面２の中央部で表示されるカードアイコン３２1に該当するコンテンツの動画ファイル２８の読み込みが行なわれ、ステップＳ１−６で表示画面２に表示状態１のコンテンツ検索画面を表示するとともに、この動画ファイルをカードアイコン３２1の画像表示領域３４に動画として表示させるものである。
【００８６】
次に、コンテンツの検索を行なうために、図１３（ｂ）に示すように、画面表示装置１での右側のタッチ操作部３Ｒに指先（指先以外でもよいが、以下では、指先でタッチするものとする）でタッチし、図１３（ｃ）に示すように、この指先を、タッチ操作部１３Ｒにタッチしたまま、矢印で示す下方（または、上方）に滑らせる（スライドさせる）と、入力部１６からこの操作に応じた指令が入力され、この指令に応じて、情報処理装置１８はカードアイコン３２1での動画の表示を終了させ（ステップＳ３−１の“Ｙｅｓ”）、カードアイコン３２1に対する動画処理プロセスを終了させて（ステップＳ３−２）、表示画面２の中央に表示させる次のカードアイコン３２2に対し、動画処理プロセスを実行して該当する動画ファイル２８の読み込みを開始する（ステップＳ３−３）。そして、上記のように、タッチ操作部３Ｒにタッチした指先のスライドに応じて、表示画面２でズームアウト（縮小表示）が生ずるように、視点の目標位置がセットされ、そのセット値が順次変更されていく（ステップＳ３−６）。
【００８７】
これにより、図９のステップＳ１−１１では、この目標値の変更とともに、図６に示す枠２’、従って、視点が、図７において、あたかもＺ軸方向にＸＹ平面から遠ざかる方向に移動する処理が情報処理装置１８によって行なわれ、表示画面２で表示される領域が、カードアイコン３２1を中心として、広がるように、表示画面２では、縮尺率が小さくなって表示されるズームアウトが行なわれる。そして、このカードアイコン３２2に対する動画処理プロセスによる動画ファイル２８の読み込みが完了すると（ステップＳ３−４）、動画処理プロセスに動画再生が指示され、このカードアイコン３２2の画像表示領域３４に動画が表示される。
【００８８】
次いで、図１３（ｄ）に示すように、タッチ操作部３Ｒから指先を離すと、入力部１６からこれに応じた指令が入力され、情報処理装置１８により、表示画面２では、縮尺率が小さくなったズームアウト状態で、図９のステップＳ１−１１の処理により、上記のカードアイコン３２2が表示画面２の中央位置に位置付けられるように、コンテンツ検索画面が上記と同じ縮小の縮尺率でスクロールする。この間、ステップＳ３−１，３−４，３−５の処理が行なわれ、カードアイコン３２2の画像表示領域３４に動画が表示され続ける。このようなスクロールを行なうための視点の目標位置も、先のステップＳ３−６の処理でセットされており、この目標位置に視点が移動するように、図９のステップＳ１−１１の処理が行なわれる。
【００８９】
そして、このカードアイコン３２2が表示画面２の中央位置に達した状態になり、この場合も、指先がタッチ操作部３Ｒにタッチしない状態にあると、図１３（ｅ）に示すように、コンテンツ検索画面のスクロールが終了し、上記のカードアイコン３２2が表示画面２の中央部に配置され、また、これとともに、図１３（ａ），（ｂ）でのもとの縮尺率に戻ってズームイン（拡大表示）が行なわれ、このカードアイコン３２2が拡大表示される。この場合の視点位置もステップＳ３−６によって目標位置としてセットされたものであり、指定がこの目標値に移動するように、図９のステップＳ１−１１の処理が行なわれる。この場合の処理は、視点を、図７で示す仮想３次元空間のＺ軸に平行で、図１３（ｃ）に示したズームアウトの場合とは逆方向に移動させるものである。
【００９０】
なお、上記の図１３（ｃ）に示す状態から図１３（ｅ）に示す状態に移ったとき、表示画面２の中央部に配置されたカードアイコン３２2は、図１３（ｂ）に示すタッチ操作の開始前よりも拡大表示され（縮小率が小さい）、所定時間の経過後、このタッチ操作の開始前のもとの大きさに戻るようにしてもよい。
【００９１】
このようにして、次のカードアイコン３２2が表示画面２の中央部に表示された状態に設定することができるが、次のカードアイコン３２3を同様に表示させるためには、再度図１３（ｂ）からの操作を行なえばよい。
【００９２】
以上のように、この表示状態１では、スクロールすることによって順次他のカードアイコン３２が表示画面２の中央部に表示されるようにしており、これにより、必要なコンテンツを検索することができる。この場合、表示画面２の中央部に表示される１つのカードアイコン３２は拡大表示されるため、このカードアイコン３２に表示されるコンテンツの内容が確認し易いものとなり、また、カードアイコン３２を移動させる操作も、表示画面２の脇に設けられたタッチ操作部３Ｒを操作するだけで行なうことができるので、コンテンツ検索画面を見ながらの操作が可能となり、操作が非常にし易いものとなる。
【００９３】
また、表示状態１のスクロールでは、コンテンツを移動する際、拡大表示から縮小率が小さくなった縮小表示を介して移動するため、移動前に中央部に表示されているカードアイコンの周辺に配置され、かつ、拡大表示の際には、表示されていなかったカートアイコンのサムネイルなどの表示用画面が表示される。そのため、コンテンツ検索者が、スクロールにより、次に移動する所定のカードアイコン以外のコンテンツを認識でき、スクロールの際であっても、コンテンツ検索を行なうことができ、検索時間を短縮できる。
【００９４】
さらには、縮小表示を介してスクロールによって連続的に移動するため、コンテンツ検索者は、移動前に中央部に表示されていたカードアイコンまたは移動後に中央部に表示されるカードアイコンとの位置関係により、スクロールの前後に中央部に表示されるカードアイコン以外のコンテンツを認識することができ、所定のカードアイコンとの相対的な位置情報を手がかりに、そのコンテンツを検索することができ、検索が容易になる。また、相対的な位置情報とは別に、そのカードアイコンの固有の姿勢を記憶しておくことにより、姿勢を手がかりにコンテンツを検索することができ、検索が容易になる。
【００９５】
なお、表示画面２の中央部に表示されるカードアイコンの順序は予め決められており、この順序としては、例えば、カード情報テーブル２６，２９（図５）に登録されているカードＩＤ２６ａの順序とするが、これ以外の情報を基に、順序を決めるようにしてもよい。また、スクロールの方向は、現在表示画面２の中央部に表示されているカードアイコン３２と次にこの中央部に表示されるカードアイコン３２との位置関係によって決まるものである。
【００９６】
図１４は表示状態１から他の表示状態に切り替える場合の操作の流れを示す図であって、３Ｌはタッチ操作部、３７ａ〜３７ｅは選択ボタン、３８ａ，３８ｂはカード群であり、前出図面に対応する部分には同一符号をつけて重複する説明を省略する。
【００９７】
図１４（ａ）に示す表示状態１でのコンテンツ検索画面の表示状態で、図１４（ｂ）に示すように、表示画面２の左側のタッチ操作部３Ｌに指先でタッチすると、表示画面２の左辺部にこのタッチ操作部３Ｌに沿って複数（この場合、５個）の選択ボタン３７ａ〜３７ｅが表示される。ここでは、選択ボタン３７ａは表示状態２を選択するボタン、選択ボタン３７ｂは表示画面２の中央部に表示されるカードアイコン３２を選択決定するボタン、……とする。
【００９８】
なお、選択ボタン３７ｂで表示画面２の中央部に表示されるカードアイコン３２を選択決定すると、このカードアイコン３２に該当するコンテンツの動画ファイル２８，３１（図４）によって表示画面２の全体に動画像が表示され、これとともに、図１０（ｃ）に示すように、付加情報３６が表示される表示状態３の画像が表示されることになる。
【００９９】
図１４（ｂ）に示すように、指先でタッチ操作部３Ｌをタッチしてこれら選択ボタン３７ａ〜３７ｅが表示された状態では、この指先のタッチ操作部３Ｌでのタッチ位置に最も近い選択ボタン３７、この場合には、選択ボタン３７ｂが選択されている状態となり、太枠で示すように、カーソルによってフォーカスされて表示される。
【０１００】
ここで、表示状態２の表示を行なわせるために、タッチ操作部３Ｌにタッチしたまま、指先に選択ボタン３７ａのそばまでスライドさせると、図１４（ｃ）に示すように、この選択ボタン３７ａがフォーカスされ、このタッチ位置をダブルタップなどの操作をすると、この操作に伴う指示が入力部１６（図４）から入力され（図１１でのステップＳ２−１）、情報処理装置１８（図４）は、これを認識し、表示状態２のための処理を行なう（図１１でのステップＳ２−２）。
【０１０１】
これにより、この選択ボタン３７ａが選択決定され、図１４（ｄ）に示すように、全部のカードアイコン３２が２つのグループに分けられて夫々積み重ねられて２つのカード群３８ａ，３８ｂが形成された状態を示す表示状態２のコンテンツ検索画面の表示に切り替わる。
【０１０２】
同様にして、選択ボタン３７ｂが選択決定されると、図１０（ｃ）に示したような表示状態３の画像が表示される。なお、図１０（ａ），（ｂ）に示す表示状態１，２のコンテンツ検索画面は、表示画面２を横長にした状態に表示されるものであるが、かかる表示状態１，２のコンテンツ検索画面の表示の状態で表示画面２を、縦長となるように、画面表示装置１を持ち変えると、図１０（ｄ）に示すような表示状態４のコンテンツ検索画面に表示が自動的に切り替わる。このような表示状態の切り替え指示があると、情報処理装置１８（図４）は、図１１でのステップＳ２−２の処理を行ない、指示された表示状態のコンテンツ検索画面を表示画面２に表示させる。
【０１０３】
なお、図１４に示す画面で操作が慣れて、夫々の選択ボタン３７ａ〜３７ｅの表示位置が無意識に覚えているような状態となっている場合もある。このような場合、図１４に示した方法で希望する選択ボタン３７を選択決定することは面倒に思える場合もある。このために、この実施形態では、図１５（ａ）に示す状態で、例えば、タッチ操作部３Ｌでの選択ボタン３７ａの近くをダブルタップもしくは強く押し込むようなタッチ操作をすることにより、図１５（ｂ）に示すように、直ちに表示状態２のコンテンツ検索画面に表示を切り替えるようにすることもできるようにしている。これにより、操作の手間を省くことができる。
【０１０４】
ここで、上記の動画処理プロセスについて説明する。  
図１６は動画処理プロセスの一具体例を示すフローチャートである。
【０１０５】
情報処理装置１８（図４）には、画面表示装置１が動作を実行するためのメインプロセスが設定されており、電源が投入されると、図９に示す処理を実行するものである。そして、かかる処理の実行により、ハードディスク２０（図４）から再生用プログラム２５（図４）が読み込まれると、図１６において、メインプロセスから動画処理プロセスが生成される（ステップＳ３−１）。この動画処理プロセスが実行されることにより、メインプロセスから指定されるコンテンツの動画ファイル２８（図４）がハードディスク２０（図４）から読み込まれ、メモリ１９（図４）に記録される（ステップＳ３−２）。この読み込みが完了すると、メインプロセスからの再生指示があるまで、待機する（ステップＳ３−３）。
【０１０６】
以上の動作が、電源投入後の図９でのステップＳ１−３〜Ｓ−５の処理中に行なわれる処理動作であり、図１２での次のカードアイコン３２に対するステップＳ３−３からの処理動作である。
【０１０７】
次いで、メインプロセスからの再生指示があると、ハードディスク２０から読み込まれてメモリ１９に記録された動画ファイル２８について、先頭の１フレームの映像情報とその期間での音声情報とをこのメモリ１９から再生し（ステップＳ３−４）、このメモリ１９上の上記指定されるコンテンツのカードアイコン３２の画像表示領域３４（図６）に相当する領域に格納する（ステップＳ３−５）。そして、かかるステップＳ３−４，Ｓ３−５の処理動作を、メインプロセスからの終了指示があるまで（ステップＳ３−６）、繰り返す。これにより、上記の指定されたコンテンツのカードアイコン３２の画像表示領域３４にこのコンテンツが動画としてが表示されることになり、これが図９におけるステップＳ１−６〜Ｓ１−１１の繰り返し処理動作中に行なわれるものである。
【０１０８】
図１７は図１１におけるステップＳ２−６の一具体例を示すフローチャートである。これを図１に示す画面表示装置１の表示画面２での図１８，図１９に示す表示状態２のコンテンツ検索画面の表示を用いて説明するが、図２，図３に示す画面表示装置１であっても、同様である。
【０１０９】
ここで、図１８，図１９は夫々表示状態２での検索操作手順の具体例を示す図であって、３８ｃはカード群、３９ａ〜３９ｅは選択ボタンであり、図１４，図１５などの前出図面に対応する部分には同一符号をつけて重複する説明を省略する。
【０１１０】
表示状態２では、図１８（ａ）に示すように、画面表示装置１の表示画面２には、アイコンカード３２が積み込まれた２つのカード群３８ａ，３８ｂが配置されたコンテンツ検索画面が表示されており、その一方のカード群、この場合、カード群３８ａの一番上のカードアイコン３２1が表示画面２の中心部に表示されるように、これらカード群３８ａ，３８ｂの表示位置が設定されている。そして、カード群３８ａの一番上のこのカードアイコン３２1では、上記の動画処理プロセスにより、これに該当するコンテンツが動画として画像表示領域３４（図６）に表示されている（図１７のステップＳ４−１，Ｓ４−２）。これらカード群３８ａ，３８ｂでは、夫々カードアイコン３２が、少なくともそれらの縁部が見えるように、全てずらして積み込まれており、これらカード群３８ａ，３８ｂでのカードアイコン３２の量、検索量が一目で分かるようにしている。
【０１１１】
ここで、図１８（ｂ）に示すように、画面表示装置１の右側のタッチ操作部３Ｒを指先でタッチすると、これに応じた指令が入力部１６（図４）から入力され、情報処理装置１８は、この指令がタッチ操作部３Ｒのタッチによる指令であることから、「カードアイコン切り替え操作」の指令があったと判定し（図１７のステップＳ４−３）、メインプロセスが動画処理プロセスに終了を指示する処理を行なう（図１７のステップＳ４−４）。これにより、カード群３８ａのカードアイコン３２1の画像表示領域３４での動画の表示が終了する（これが、図１６でのステップＳ３−７の動作である）。
【０１１２】
そして、図１６に示すように、メインプロセスが動画処理プロセスを生成し、他方のカード群３８ｂの一番上のカードアイコン３２2を次のカードアイコンとして、このカードアイコン３２2に該当するコンテンツの動画ファイル２８がハードディスク２０から読み込まれでメモリ１９に格納する図１６のステップＳ３−２，３−３の処理が行なわれ（図１７でのステッブＳ４−５）、さらに、このカードアイコン３２2の移動先となる目標位置の値をセットする（図１７でのステップＳ４−６）。
【０１１３】
ここで、この目標位置は、カード群３８ａの上であって、図１８（ｃ）に示すように、指先をタッチ操作部３Ｒにタッチした状態にして下方にスライドさせると、図９でのステップＳ１−１１，Ｓ１−６〜Ｓ１−９，Ｓ１−１０の繰り返しの処理により、カードアイコン３２2がカード群３８ｂからカード群３８ａの方に移動する。これとともに、図１６のステップＳ３−４，Ｓ３−５の処理が繰り返し行なわれ、カードアイコン３２2の画像表示領域３４に上記動画ファイル２８が動画として表示され続ける。
【０１１４】
そして、図１８（ｄ）に示すように、このカードアイコン３２2がカード群３８ａでのカードアイコン３２1に、少しずれて重なった状態となり、その画像表示領域３４で動画が表示され続ける。これにより、カード群３８ａでは、やはりカードアイコン３２の量を一目で分かることになる。かかる状態は、次の操作があるまで継続する（図９のステップＳ１−８）。
【０１１５】
なお、動画の再生が終了した場合には、情報処理装置１８（図４）の処理は、図９において、ステップＳ１−９を介してステップＳ１−１０に進み、図１７でのステップＳ４−１，Ｓ４−２の処理を行ない、再び動画を再生して画像表示領域３４に表示させるようにする。
【０１１６】
また、図１８（ｄ）の状態でカード群３８ｂの次のカードアイコン３２をカード群３８ａに移動させる場合には、図１４（ｂ）からの操作を繰り返せばよい。
【０１１７】
タッチ操作部３Ｒでの指先の操作方向を上記とは逆方向にすることにより、カードアイコン３２の移動方向をカード群３８ａからカード群３８ｂの方向にすることができる。この場合には、移動するカードアイコン３２の画像表示領域３４での動画の表示は終了し、代わりにカード群３８ａに残ったカードアイコン３２のうちの一番上となるカードアイコン３２の画像表示領域３４で動画が表示される。
【０１１８】
このようにして、表示状態２では、２つのカード群３８ａ，３８ｂのみが表示されるので、これらカード群３８ａ，３８ｂを大きく表示することができて、一方のカード群３８ａでの最前列のカードアイコン３２で表示されるコンテンツを大きく表示することができて、その内容を確認し易いものとなる。なお、最前列のカードアイコン３２で動画表示されないカード群３８ｂは、その一部が表示画面２からはみ出すように表示させてもよく、この分カード群３８ａ，３８ｂを拡大して表示することができて、カード群３８ａの最前列のカードアイコン３２でのコンテンツをより拡大表示させることができる。この場合であっても、カード群３８ｂの一部の表示により、その縁部が見えるように表示されているので、カード群３８ｂのカードアイコンの量、検索量を一目で把握することができる。
【０１１９】
また、表示画面２の右側のタッチ操作部３Ｒを指先でタッチ操作することにより、一方のカード群から他方のカード群に、１枚ずつカードアイコン３２を移動させることができ、これにより、所望とするコンテンツのカードアイコン３２を探し出すことができるので、表示画面２を見ながらの操作が可能となり、操作がし易いものとなる。言い替えると、１枚ずつカードアイコン３２を移動させて検索する方式であり、カードアイコンが表示されている領域が一方のカード群が表示されている領域内に収まっているので、視線を移動することなく、コンテンツ検索を行なうことができる。このため、視線を移動する時間を省略することができ、検索時間を短縮することができる。
【０１２０】
さらに、図１８（ｃ）に示すように、タッチ操作部３Ｒをスライドさせるような操作方式を採用した場合には、カードアイコンを擬似的にトランプのカードを扱うように操作することができ、操作がし易いものとなる。これは、スライド操作が表示画面に平行な面内での動作であり、カードアイコンの移動方向も表示画面に平行な面内での移動であるためである。
【０１２１】
図１８（ａ）と同様の図１９（ａ）に示す状態で、画面表示装置１の左側のタッチ操作部３Ｌを指先でタッチすると、図１９（ｂ）に示すように、表示画面２の左辺部にこのタッチ操作部３Ｌに沿って複数（この場合、５個）の選択ボタン３９ａ〜３９ｅが表示される。ここでは、例えば、選択ボタン３９ａが表示状態１を選択するためなどの選択ボタン、選択ボタン３９ｂが表示画面２の中央部に表示されるカード群３８ａのカードアイコン３２を選択決定するボタンとするが、さらに、例えば、選択ボタン３９ｃはカード群の切り替えを行なわせるための選択ボタンとする。
【０１２２】
指先でタッチ操作部３Ｌがタッチされてこれら選択ボタン３９ａ〜３９ｅが表示された状態では、タッチ操作部３Ｌでのこの指先のタッチ位置に最も近い選択ボタン３９、この場合には、選択ボタン３９ｂが選択されている状態にあり、太枠で示すように、カーソルによってフォーカスされて表示される。
【０１２３】
ここで、表示状態２でカード群を切り替えるために、タッチ操作部３Ｌにタッチしたまま、指先を選択ボタン３９ｃのそばまでスライドさせると、図１９（ｃ）に示すように、この選択ボタン３９ｃがフォーカスされ、このタッチ位置を強く押し込む、あるいはダブルタップする、もしくはタッチし直すなどの操作をすると、「カード群の組み替え操作」の指示が入力部１６（図４）から入力される。これにより、情報処理装置１８（図４）は、この指示が「カード群の切り替え操作」であることを判定する（図１７のステップＳ４−７）。
【０１２４】
これにより、情報処理装置１８は、図１６に示すように、メインプロセスが動画処理プロセスを生成し、組み替え後のカード群の最も上の位置（以下、最前列という）となるカードアイコン３２3に該当するコンテンツの動画ファイル２８がハードディスク２０から読み込んでメモリ１９に格納する図１６のステップＳ３−２，３−３の処理が行なわれ（図１７のステップＳ４−９）、さらに、カードアイコン３２2毎にその移動先となる目標位置，姿勢の値をセットする（図１７のステップＳ４−１０）。
【０１２５】
ここで、この目標位置，姿勢は、全てのカードアイコン３２が積み重ねられて同じカード群を形成する場合の夫々のカードアイコン３２の位置と姿勢であって、図９のステップＳ１−１１での処理により、図１９（ｄ）に示すように、全てのカードアイコン３２が１つのカード群３８ｃにまとめられて積み重ねられる。この場合、このカード群３８ｃの最前列のカードアイコン３２3では、メモリ１９に格納された動画ファイル２８により、その画像表示領域３４に該当するコンテンツが動画で表示される。このカード群３８ｃでは、夫々カードアイコン３２が、少なくともそれらの縁部が見えるように、全てずらして積み込まれており、このカード群３８ｃでのカードアイコン３２の量、検索量が一目で分かるようにしている。
【０１２６】
図１９（ｃ）の表示の状態から図１９（ｄ）に示す表示の状態に移行するときには、カード群３８ｂでのカードアイコン３２が１枚ずつ自動的に、かつ迅速にカード群３８ａに移動して順次積み重ねられるようにしてもよいし、また、カード群３８ａ，３８ｂの全てのカードアイコン３２が一旦、図８に示すように、散らばった状態となり、しかる後、所定の順序で（例えば、図５に示すカード情報テーブル２６，２９で設定されているカードＩＤ２６ａが大きい順に）積み重ねられるようにしてもよい。
【０１２７】
この図１９（ｄ）に示す状態で、図１８に示したカードアイコン切り替え操作をすると、カードアイコン３２が１枚ずつ順に移動していって他のカード群が形成されていく。なお、この場合には、カード群３８ｃで１枚ずつカードアイコン３２が移動すると、その度に図１７のステップＳ４−３〜Ｓ４−６の処理が行なわれ、このカード群３８ｃでその次に現われるカードアイコン３２で動画の表示が行なわれる。
【０１２８】
このようにして、カード群を作り直すこともでき、コンテンツ検索のやり直しなどを簡単に行なうことができる。
【０１２９】
図２０は図１１におけるステップＳ２−８の一具体例を示すフローチャートである。これを図１に示す画面表示装置１の表示画面２での図２１〜図２３に示す表示状態３のコンテンツ検索画面の表示を用いて説明するが、図２，図３に示す画面表示装置１であっても、同様である。
【０１３０】
ここで、図２１〜図２３は夫々表示状態３での検索操作手順の具体例を示す図であって、３Ｄはタッチ操作部、４０は再生位置選択手段、４１はタイムスケール、４２はタイムススライダ、４３ａ〜４３ｅは選択ボタン、４４ａ，４４ｂはカードＩＤアイコンであり、前出図面に対応する部分には同一符号をつけて重複する説明を省略する。
【０１３１】
図１４（ｂ）に示す表示状態１のコンテンツ検索画面の表示の状態で、選択ボタン３７ｂを選択決定操作すると、この操作に伴う指示が入力部１６（図４）から入力され（図１１でのステップＳ２−１）、情報処理装置１８（図４）は、これを認識し、表示状態３のための処理を行なう（図１１でのステップＳ２−２）。これにより、図２１（ａ）に示すように、表示状態１または表示状態２に代わって、このときの表示画面２の中央に表示されるカードアイコン３２に該当するコンテンツ（動画）が、表示画面２の全体に表示される表示状態３に切り替えられる。また、同様に、図１９（ｂ）に示す表示状態２のコンテンツ検索画面の表示の状態で、選択ボタン３９ｂを選択決定操作すると、図２１（ａ）に示すように、表示状態２に代わって、このときの表示画面２の中央表示されるカード群３８ａのカードアイコン３２に該当するコンテンツ（動画）が、表示画面２の全体表示される表示状態３に切り替えられる。
【０１３２】
そして、この表示状態３において、表示画面の下側のタッチ操作部３Ｄを指先でタッチすると（図２０のステップＳ５−１）、図２１に示すように、表示画面２の下辺部に横長のタイムスケール４１とこのタイムスケール４１上のタイムスライダ４２とからなる再生位置選択手段４０が表示される。タイムスライダ４２は、このタイムスケール４１上のタッチ操作部３Ｄでの指先のタッチ位置に近い部分に表示され（図２０のステップＳ５−２）、タッチ操作部３Ｄがタッチされたことにより、コンテンツの再生表示位置が、このコンテンツの開始からこのタイムスライダ４２の位置によって指摘されるタイムスケール４１上での時間経過したときの位置に切り替えられる。従って、図２１（ｂ）に示す状態から図２１（ｃ）に示す状態へと指先をタッチ操作部３Ｄにタッチしたまま左右方向に移動させると（図２０でのステップＳ５−３）、この指先に追従してタイムスライダ４２が左右に移動し、コンテンツの再生位置が高速に移動して表示内容が急激に変化する（図２０でのステップＳ５−４）。
【０１３３】
そして、一定時間かかる操作が行なわれないと（図２０でのステップＳ５−８）、タイムスケール４１やタイムスライダ４２の表示が自動的に終了する（図２０でのステップＳ５−９）。
【０１３４】
図２１（ａ）と同様の表示の状態の図２２（ａ）において、表示画面２の右側のタッチ操作部３Ｒを指先でタッチすると、図２２（ｂ）に示すように、表示画面２の右辺部にこのタッチ操作部３Ｒに沿って複数（この場合、５個）の選択ボタン４３ａ〜４３ｅが表示される。ここで、選択ボタン４３ａは表示状態１を選択するためなどの選択ボタン、選択ボタン４３ｂは再生位置選択手段４０を表示させるためのボタン、選択ボタン４３ｃは多重情報表示を選択するためのボタンとする。その他の選択ボタンは、その他の適宜の機能を選択するためのボタンである。これら選択ボタン４３ａ〜４３ｅも、その近傍がタッチ操作部３Ｒでの指先のタッチ位置とすると、選択ボタン４３ｂのように、太枠で示すように、カーソルによってフォーカスされて表示される。
【０１３５】
そこで、図２２（ｂ）に示す状態で指先をタッチ操作部３Ｒにタッチしながらスライドさせ、図２２（ｃ）に示すように、タッチ操作部３Ｒでのタッチ位置を選択ボタン３ｃの近傍まで移すと、この選択ボタン４３ｃがフォーカスされて選択された状態となり、さらに、かかる状態で指先で強く押す、あるいはダブルタップするなどの決定操作をすると、かかる操作による入力部１６（図４）からの指示の入力により、情報処理装置１８（図４）は、これを判定すると（図２０でのステップＳ５−５）、この表示画面２に表示されているコンテンツと関連するコンテンツのカードＩＤとその再生時刻とをカード情報テーブル２６の関連カードＩＤ２６ｉ（図５）から取得し（図２０のステップＳ５−６）、図２２（ｄ）に示すように、表示画面２の下辺部に再生位置選択手段４０と取得したこれらカードＩＤを示すカードＩＤアイコン４４ａ，４４ｂとを、多重情報として、表示する。これらカードＩＤ４４ａ，４４ｂは、再生位置選択手段４０のタイムスケール４１での上記取得した時刻に相当する位置に表示される（図２０でのステップＳ５−７）。
【０１３６】
その後、操作がなくても、かかる多重情報が表示され続くが、一定時間操作されない状態が経過すると（ステップ図２０でのＳ５−８）、図２２（ｅ）に示すように、再生位置選択手段４０とカードＩＤアイコン４４ａ，４４ｂとの多重情報の表示は終了する（図２０でのステップＳ５−９）。
【０１３７】
しかし、このように、多重情報が表示されなくなっても、この多重情報を表示する表示状態３は解除されておらず、図２２（ｅ）に示す表示の状態で、図２３（ａ）に示すように、表示画面２の下側のタッチ操作部３Ｄを指先でタッチすると、再生位置選択手段４０とカードＩＤアイコン４４ａ，４４ｂとが再び表示され、図２２（ｄ）に示す表示の状態に戻る。
【０１３８】
そして、図２３（ｂ）に示すように、タッチ操作部３Ｄでの指先のタッチ位置をカードＩＤアイコンの表示位置のいずれか、例えば、カードＩＤアイコン４４ａの表示位置に合わせると、これによる指示情報が入力部１６（図４）から入力され、情報処理装置１８（図４）は、これを認識し（図２０でのステップＳ５−１０）、この再生位置でのカードＩＤアイコン４４ａのカードＩＤをカード情報テーブル２６の関連カードＩＤ２６ｉ（図５）から取得して（図２０でのステップＳ５−１１）、このカードＩＤのカードアイコン３２を表示画面２の目標とする場所に表示させるための目標位置や姿勢の値をセットする（ステップＳ５−１２）。これにより、図９のステップＳ１−１１の処理が情報処理装置１８によって行なわれ、この結果、図２３（ｂ）に示すように、このカードアイコン３２が表示画面２の目標とする場所に表示される（図９でのステップＳ１−６）。このカードアイコン３２の画像表示領域３２には、該当するコンテンツの動画ファイル２８が動画として表示され、あるいは表示用画像ファイル２７がサムネイルなどの静止画として表示される。
【０１３９】
指先のタッチ位置をカードＩＤアイコン４４ｂのそばとした場合も同様である。また、図２３（ｂ）では、カードアイコン３２が表示画面２の右上隅に表示されるものとしているが、これのみに限るものではない。
【０１４０】
なお、図２３（ｂ）に示す表示の状態で、指先のタッチ位置をカードＩＤアイコン４４ｂの位置の方に移動させた場合には、カードＩＤアイコン４４に対するカードアイコン３２の表示が終了し、このタッチ位置がカードＩＤアイコン４４ｂのそばになると、このカードＩＤアイコン４４ｂに対するカードアイコン３２が同じ目標位置に表示されることになる。
【０１４１】
図２３（ｂ）に示す表示の状態で指先をタッチ操作部３Ｄから離すと、図２３（ｃ）に示すように、再生位置選択手段４０とカードＩＤアイコン４４ａ，４４ｂとの多重情報の表示は終了するが、カードアイコン３２はそのまま表示され続き、さらに、一定時間タッチ操作なしが経過すると、図２３（ｄ）に示すように、カードアイコン３２も表示が終了する。この場合も、多重情報の表示状態３は解除されておらず、図２３（ａ）に示す表示の状態での操作を繰り返すことができる。
【０１４２】
なお、他のコンテンツについて、同様の多重情報の表示状態３を設定する場合には、図２２（ｂ），（ｃ）のタッチ操作をすることにより、表示状態１または２の表示の状態にし、カードアイコン３２を適宜選択して同様の操作をすればよい。
【０１４３】
図２４は図１１におけるステップＳ２−１０の一具体例を示すフローチャートである。これを図１に示す画面表示装置１の表示画面２での図２５，図２６に示す表示状態４のコンテンツ検索画面の表示を用いて説明するが、図２，図３に示す画面表示装置１であっても、同様である。
【０１４４】
ここで、図２５，図２６は夫々表示状態４での検索操作の具体例を示す図であって、３Ｄはタッチ操作部、４０は再生位置選択手段、４１はタイムスケール、４２はタイムススライダ、４３ａ〜４３ｅは選択ボタン、４４ａ，４４ｂはカードＩＤアイコンであり、前出図面に対応する部分には同一符号をつけて重複する説明を省略する。
【０１４５】
図１４（ａ）あるいは図１８（ａ）で示す表示状態１または２のコンテンツ検索画面が表示された状態で、これまで表示画面２が横長となるように所持していた画面表示装置１を、表示画面２が縦長となるように、持ち替えると、これに対する指示が入力部１６（図４）から入力され、情報処理部１８（図４）はこれを認識して（図１１でのステップＳ２−１）、表示状態４で表示するための処理を行なう（図１１でのステップＳ２−２）。
【０１４６】
この処理は、図２５に示すように、図１０（ａ），（ｂ）に示す表示状態１または２のとき、表示画面２の中央に表示されていたカードアイコン３２1を選択カードアイコン３２Xとし、この選択カードアイコン３２Xとこれにコンテンツが関連するカードアイコン（以下、関連カードアイコンという）３２X1，３２X2，３２X3，３２X4，３２X5，……とを表示するものであり、一例として、１つの表示の状態を示すと、選択カードアイコン３２Xと関連カードアイコンの少なくともいずれか１つ（ここでは、カードアイコン３２X1）とが互いに重なり合って隠れないように縦方向に並んで表示されるが、これら以外の少なくとも１つ（ここでは、関連カードアイコン３２X2〜３２X5）は互いに重なり合うようにして表示される。ここでは、重なりによって隠れない関連カードアイコン３２を関連カードアイコン３２X1とし、これ以外の互いに重なり合った関連アイコンを関連カードアイコン３２X2〜３２X5としている。つまり、表示状態４では、選択カードアイコン３２Xの組と、少なくとも１つの関連カードアイコン３２X1からなる組と、それ以外の関連カードアイコン３２X2〜３２X5からなる組との３つの組が、互いに重ならないように、縦方向に配列されて表示される。
【０１４７】
関連カードアイコンは、カード情報テーブル２６（図５）での関連カードＩＤ２６ｉをもとに取得する。関連カードアイコンの配列順序としては、例えば、カード情報テーブル２６に登録されているカードＩＤ２６ａの順としてもよいし、関連カードＩＤ２６ｉに登録されている再生時刻の順としてもよいし、それ以外の順序としてもよい。
【０１４８】
図１１でのステップＳ２−２は、選択カードアイコン３２Xと関連カードアイコン３２X1〜３２X5とがこのような配列となるように、夫々のカードアイコン３２の位置や姿勢の値を決めるものである。これらカードアイコン３２がこのような位置，姿勢で設定されるのは、図９のステップＳ１−１１での処理によって行なわれる。
【０１４９】
なお、一方の組（カード群）での最も上の隠れない関連カードアイコン（ここでは、カードアイコンX1）には、その画像表示領域３４（図６）に該当するコンテンツが動画として表示される。
【０１５０】
また、重なり合った各関連カードアイコン３２（図２５では、カードアイコン３２X2〜３２X5側の組）は、上記の表示状態２の場合と同様、１枚ずつずらすようにして他方のカードアイコンの組（図２５では、カードアイコン３２X1側の組）に移動させることにより、その全体が表示させるようにすることができる。このように全体が表示された関連カードアイコンでは、その画像表示領域に該当するコンテンツが動画として表示される。
【０１５１】
なお、以下では、この表示状態４については、図１，図２に示す第１，第２の実施形態を例にして説明するが、図３に示す第３の実施形態についても同様であり、この場合、テレビ受像機１３の表示画面１４（図３）で上記のカードアイコンの３つの組が縦方向に配列されて表示される。
【０１５２】
図２６は表示状態４での操作手順、即ち、関連カードアイコンを１つずつ順番に見えるように、ずらすようにして移動させる操作手順を示す図である。
【０１５３】
図２６（ａ）に示す表示の状態では、選択カードアイコン３２Xと並んで、関連カードアイコン３２X1，３２X2，３２X2を積み重ねた塊（カード群）４５ａが形成され、さらに、このカード群４５ａと並んで、関連カードアイコン３２X4，３２X5を積み重ねたカード群４５ｂが形成されているものとしている。この表示の状態では、選択カードアイコン３２Xに隣り合ったカード群４５ａでの最前列の関連カードアイコン３２X1の画像表示領域３４に該当するコンテンツが動画として表示されている。これらカード群４５ａ，４５ｂでは、夫々カードアイコン３２が、少なくともそれらの縁部が見えるように、全てずらして積み込まれており、このカード群４５ａ，４５ｂでのカードアイコン３２の量、検索量が一目で分かるようにしている。
【０１５４】
かかる表示の状態で、図２６（ｂ）に示すように、表示領域２の上側のタッチ操作部３Ｕに指先でタッチし、図２６（ｃ）に示すように、そのタッチ状態で指先をした方向にタッチ操作部３Ｕに沿ってスライドさせると、これに応じた指示が入力部１６（図４）から入力され、情報処理部１８はこれを認識してカードアイコン３２の切り替え操作と判定し（図２４でのステップＳ６−３）、カード群４５ａでのずらすように移動させるカードアイコン３２X1がカード群４５ｂの下に侵入して隠れ、これとともに、カード群４５ａでの次のカードアイコン３２X2が現われてくるように、夫々のカードアイコンの目標位置，姿勢の値をセットする（図２４でのステップＳ６−４）。また、次に現われるカードアイコン３２X2に対し、先の他の表示状態と同様、該当するコンテンツの動画ファイル２８（図４）の読み込みが行なわれる。これにより、情報処理装置１８は、図９のステップＳ１−１１の処理を行ない、図２６（ｃ）に示すように、カードアイコン３２X1がカード群４５ｂの下に（最後列に）潜るように移動し、これとともに、カード群４５ａでは、次のカードアイコン３２X2が表面に現われてくる。このとき、移動中のカードアイコン３２X1では、その画像表示領域３４に動画は表示されない。
【０１５５】
そして、カードアイコン３２X1がカード群４５ｂの最後列に潜り込み終わると、カード群４５ａで最前列となったカードアイコン３２X2は、その画像表示領域３４が完全に表面に現われた状態となり、図２６（ｄ）に示すように、タツチ操作部３Ｕから指先を離すと、その指令が入力装置１６から入力され、情報処理装置１８の処理動作により、この画像表示領域３４に先に読み込んだ該当するコンテンツが動画として表示される。この場合、カード群４５ｂの最後列に差し込まれたカードアイコン３２X1は、少なくともそれらの縁部が見えるように、その上に積まれているカードアイコン３２とは少しずらして差し込まれており、これにより、このカード群４５ａでのカードアイコン３２の量、検索量が一目で分かるようにしている。
【０１５６】
このように、図２６（ｂ）〜（ｄ）の操作を繰り返すことにより、選択カードアイコン３２Xの隣りのカード群４５ａで次々に新たなカードアイコン３２にコンテンツが動画として表示されることになる。また、タッチ操作部３Ｕでの指先のスライド方向を図２６（ｃ）の場合とは逆方向にすると、カード群４５ｂの下からカードアイコン３２がカード群４５ａの上に移動し、このカードアイコン３２がこのカード群４５ａの最前列のカードアイコン３２となると、その画像表示領域３４に動画が表示されることになる。この場合、カード群４５ａの最前列のカードアイコン３２は、その上に次のカードアイコン３２が乗ってくるようになると、画像表示領域の動画の表示は終了し、新たに乗ってきたカードアイコン３２の画像表示領域に該当するコンテンツが動画として表示されることになる。
【０１５７】
コンテンツが動画として再生して表示しているとき、このコンテンツの再生が終了すると（図２４でのステップＳ６−１）、先の各表示状態と同様、動画処理プロセスによって再生が指示され（図２４でのステップＳ６−２）、これにより、動画の表示が継続する。
【０１５８】
このようにして、この表示状態４では、選択カードアイコン３２Xと関連カードアイコン３２の２つのカード群４５ａ，４５ｂとが表示画面に表示されるだけものであるから、夫々のカードアイコン３２を大きく表示することができ、カード群４５ａの最前列に表示されるカードアイコン３２でのコンテンツを大きく表示できて、コンテンツが見易くなり、その内容を確認し易くなって、その内容を瞬時に確認できるようになる。特に、図２６に示すように、最前列のカードアイコン３２でコンテンツが表示されないカード群４５ｂを表示画面２から一部はみ出して表示することにより、この分カードアイコン３２を大きく表示させることができ、コンテンツがより見易いものとなる。
【０１５９】
また、１つの選択カードアイコンに対して、簡単な操作により、それに関連するカードアイコンでのコンテンツ検索が可能となる。しかも、かかる表示状態４は、表示状態１，２の表示の状態のとき、画面表示装置１の向きを替えるという簡単な操作により、簡単かつ確実に実現可能である。
【０１６０】
さらに、図２６（ｃ）に示すように、タッチ操作部３Ｕをスライドさせるような操作方式を採用した場合には、カードアイコンを擬似的にトランプのカードを扱うように操作することができ、操作がし易いものとなる。これは、スライド操作が表示画面に平行な面内での動作であり、カードアイコンの移動方向も表示画面に平行な面内での移動であるためである。
【０１６１】
以上のように、カードを操作する形態でコンテンツの検索が可能であり、その検索の仕方も、表示状態１，２，３，４といった異なる方法のいずれかを適宜選択して行なうことができるものであるから、ユーザの好みに応じた表示状態でコンテンツの検索を行なうことができる。しかも、同時に表示されるカードアイコンのうちの決まった位置に配置される１つだけにコンテンツが表示されるものであるので、他の情報に惑わされることなく、コンテンツの内容を把握することが可能となり、迅速かつ確実に希望するコンテンツの検索が可能となる。
【図面の簡単な説明】
【０１６２】
【図１】本発明による画面表示装置の第１の実施形態を示す構成図である。
【図２】本発明による画面表示装置の第２の実施形態を示す構成図である。
【図３】本発明による画面表示装置の第３の実施形態を示す構成図である。
【図４】図１〜図３に示す画面表示装置の内部構成の一具体例とこの画面表示装置を用いたコンテンツ検索システムの構成の一具体例とを示すブロック構成図である。
【図５】図４におけるカード情報テーブルの一具体例を示す図である。
【図６】図１，図２における表示画面に表示されるコンテンツ検索画面でのカードアイコンの一具体例を示す図である。
【図７】図５における配置情報を説明するためのカードアイコンの仮想３次元空間での各カードの位置，姿勢を示す図である。
【図８】カードアイコンの仮想３次元空間での図１，図２の表示画面に表示される領域を示す図である。
【図９】本発明による画面表示装置でのコンテンツ検索画面の表示方法の一具体例を示すフローチャートである。
【図１０】図９に示す処理手順によって選択表示される表示状態を示す図である。
【図１１】図９におけるステップＳ１−１０の一具体例を示すフローチャートである。
【図１２】図１１におけるステップＳ２−４の一具体例を示すフローチャートである。
【図１３】表示状態１での図１１に示す処理のための検索操作の一具体例を示す図である。
【図１４】表示状態１から他の表示状態に切り替える場合の操作の流れの一具体例を示す図である。
【図１５】表示状態１から他の表示状態に切り替える場合の操作の流れの他の具体例を示す図である。
【図１６】動画処理プロセスの一具体例を示すフローチャートである。
【図１７】図１１におけるステップＳ２−６の一具体例を示すフローチャートである。
【図１８】表示状態２での図１７に示す処理のための検索操作の一具体例を示す図である。
【図１９】表示状態２での図１７に示す処理のための検索操作の他の具体例を示す図である。
【図２０】図１１におけるステップＳ２−８の一具体例を示すフローチャートである。
【図２１】表示状態３での図２０に示す処理のための検索操作の一具体例を示す図である。
【図２２】表示状態３での図２０に示す処理のための検索操作の他の具体例を示す図である。
【図２３】表示状態３での図２０に示す処理のための検索操作のさらに他の具体例を示す図である。
【図２４】図１１におけるステップＳ２−１０の一具体例を示すフローチャートである。
【図２５】表示状態４でのカードアイコンの配列を示す図である。
【図２６】表示状態４での図２４に示す処理のための検索操作の一具体例を示す図である。
【符号の説明】
【０１６３】
１  画面表示装置
２  表示画面
３，３Ｒ，３Ｌ，３Ｄ，３Ｕ  タッチ操作部
１１  タッチパネル部（タッチ操作部）
１３  テレビ受像機
１４  表示画面
１５  情報表示部
１６  入力装置
１７  出力装置
１８  情報処理装置
１９  メモリ
２０  ハードディスク
２１  通信部
２２  情報送受信バス
２３  ネットワーク
２４  リモートストレージ
２５  再生プログラム
２６  カード情報テーブル
２７  表示用画像ファイル
２８  動画ファイル
２９  カード情報テーブル
３０  表示用画像ファイル
３１  動画ファイル
３２，３２ａ，３２ｂ，１
３２1〜３２3，３２X，３２X1〜３２X5  カードアイコン
３３  タイトル表示領域
３４  画像表示領域
３５  背景領域
３６  付加情報
３７ａ〜３７ｅ  選択ボタン
３８ａ〜３８ｃ  カード群
３９ａ〜３９ｅ  選択ボタン
４０  再生位置選択手段
４１  タイムスケール
４２  タイムススライダ
４３ａ〜４３ｅ  選択ボタン
４４ａ，４４ｂ  カードＩＤアイコン
４５ａ，４５ｂ  カード群
【図１】
0004982293.tif 000002
【図２】
0004982293.tif 000003
【図３】
0004982293.tif 000004
【図４】
0004982293.tif 000005
【図５】
0004982293.tif 000006
【図６】
0004982293.tif 000007
【図７】
0004982293.tif 000008
【図８】
0004982293.tif 000009
【図９】
0004982293.tif 000010
【図１０】
0004982293.tif 000011
【図１１】
0004982293.tif 000012
【図１２】
0004982293.tif 000013
【図１３】
0004982293.tif 000014
【図１４】
0004982293.tif 000015
【図１５】
0004982293.tif 000016
【図１６】
0004982293.tif 000017
【図１７】
0004982293.tif 000018
【図１８】
0004982293.tif 000019
【図１９】
0004982293.tif 000020
【図２０】
0004982293.tif 000021
【図２１】
0004982293.tif 000022
【図２２】
0004982293.tif 000023
【図２３】
0004982293.tif 000024
【図２４】
0004982293.tif 000025
【図２５】
0004982293.tif 000026
【図２６】
0004982293.tif 000027